(57)【要約】【課題】良好な印字および良好な搬送を確保できるラベルプリンタを提供する。【解決手段】ラベルプリンタは、印字対象となる印字面の裏面に粘着層が設けられているロール状のラベル用紙を収納する収納部と、前記収納部から引き出し搬送される前記ラベル用紙に対して印字を施す印字部と、前記印字部の用紙搬送方向下流側に設けられ、印字後の前記ラベル用紙を切断する切断部と、前記切断部の用紙搬送方向下流側に設けられ、前記切断部により切断されたラベルを受けるステージと、前記ステージの上方であって前記ラベル用紙の搬送経路に干渉する位置に設けられ、先端部分が弾性の高い板状の素材をその面方向に巻き込んだ円形形状に形成されている用紙押圧部と、を備える。【選択図】図４
2016049641.tif 000002
【特許請求の範囲】
【請求項１】
印字対象となる印字面の裏面に粘着層が設けられているロール状のラベル用紙を収納する収納部と、
前記収納部から引き出し搬送される前記ラベル用紙に対して印字を施す印字部と、
前記印字部の用紙搬送方向下流側に設けられ、印字後の前記ラベル用紙を切断する切断部と、
前記切断部の用紙搬送方向下流側に設けられ、前記切断部により切断されたラベルを受けるステージと、
前記ステージの上方であって前記ラベル用紙の搬送経路に干渉する位置に設けられ、先端部分が弾性の高い板状の素材をその面方向に巻き込んだ円形形状に形成されている用紙押圧部と、
を備えることを特徴とするラベルプリンタ。
【請求項２】
前記用紙押圧部は、先端部分が弾性の高い板状の素材をその面方向に渦巻状に巻き込んだゼンマイ状の形状に形成されている、
ことを特徴とする請求項１記載のラベルプリンタ。
【請求項３】
前記ステージの上面に設けられ、切断後の前記ラベルの粘着層が貼り付かないようにする凸部を更に備え、
前記用紙押圧部は、前記凸部に接する位置に設けられている、
ことを特徴とする請求項１または２記載のラベルプリンタ。
【請求項４】
前記用紙押圧部は、弾性の高い合成樹脂を素材として形成されている、
ことを特徴とする請求項１ないし３の何れか一記載のラベルプリンタ。
【請求項５】
前記用紙押圧部は、弾性の高い金属を素材として形成されている、
ことを特徴とする請求項１ないし３の何れか一記載のラベルプリンタ。
【発明の詳細な説明】
【技術分野】
【０００１】
本発明の実施形態は、ラベルプリンタに関する。
【背景技術】
【０００２】
近年においては、台紙のない長尺状の台紙なしラベル用紙が登場してきている。このような台紙なしラベル用紙は、任意の位置での切断が可能となっていることから、長尺のラベルの生成が可能である。ラベルプリンタは、印字及び切断によって生成されるラベルを台紙なしラベル用紙の搬送方向下流のステージで受けるようにしている。
【０００３】
このようなステージには、印字後に切断されたラベル裏面の粘着層が貼り付かないようにする非粘着加工が施されている。ステージに非粘着加工を施したラベルプリンタは、印字後に切断されたラベルがステージに貼り付くことによる排紙詰まりの発生を防止することができる。
【０００４】
しかしながら、長尺のラベルを生成した場合や風などの影響がある場合には、非粘着加工が施されたステージからラベルが落下してしまう、という問題がある。このようにステージから落下したラベルは、ラベル裏面の粘着層が床等に貼り付き、使用できなくなってしまう。
【０００５】
そこで、従来のラベルプリンタにおいては、ステージの上方であってラベル用紙の搬送経路に干渉する位置に、当該ステージで受けられている切断後のラベルを押さえるラベル押えを設けている。ラベル押えは、いわゆる除電ブラシや、合成樹脂（プラスチック）の一種であるポリエチレンテレフタレート（ＰＥＴ）を材料とした“くの字型”の部材などである。
【０００６】
しかしながら、ラベル押えとして除電ブラシを適用した場合には、除電ブラシのカスがラベルプリンタの印字部や切断部などに入り込んでしまい、印字不良や切断不良を生じる、という問題がある。
【０００７】
また、ラベル押えとしてＰＥＴを材料とした“くの字型”の部材を適用した場合には、ラベルに対する押圧力が除電ブラシに比べて強くなる傾向があるため、押圧力の調整が難しく、排紙詰まりの原因になる場合がある。また、ラベル押えとしてＰＥＴを材料とした“くの字型”の部材を適用した場合には、“くの字型”の部材に変形癖などが付くと元の形状には戻りにくく、当初の役目や性能を十分に発揮できない、という問題がある。さらに、ラベル押えとしてＰＥＴを材料とした“くの字型”の部材を適用した場合には、狭持したラベルを取り出し易くするために、狭持相手側をローラーにするなどの工夫も必要になる。
【発明の概要】
【発明が解決しようとする課題】
【０００８】
本発明が解決しようとする課題は、良好な印字および良好な搬送を確保できるラベルプリンタを提供することである。
【課題を解決するための手段】
【０００９】
実施形態のラベルプリンタは、印字対象となる印字面の裏面に粘着層が設けられているロール状のラベル用紙を収納する収納部と、前記収納部から引き出し搬送される前記ラベル用紙に対して印字を施す印字部と、前記印字部の用紙搬送方向下流側に設けられ、印字後の前記ラベル用紙を切断する切断部と、前記切断部の用紙搬送方向下流側に設けられ、前記切断部により切断されたラベルを受けるステージと、前記ステージの上方であって前記ラベル用紙の搬送経路に干渉する位置に設けられ、先端部分が弾性の高い板状の素材をその面方向に巻き込んだ円形形状に形成されている用紙押圧部と、を備える。
【図面の簡単な説明】
【００１０】
【図１】図１は、実施形態に係るラベルプリンタを示す外観斜視図である。
【図２】図２は、上部ケースを開放した状態を示す斜視図である。
【図３】図３は、プリンタ本体の概略的な構成、及び、ラベル用紙の搬送状態を説明するための縦断側面図である。
【図４】図４は、ラベル排出口付近を拡大して示す正面図である。
【図５】図５は、ラベル押えを示す外観斜視図である。
【図６】図６は、ラベル押えの変形例を示す側面図である。
【図７】図７は、ラベル押えとラベル用紙との関係を示す模式図である。
【発明を実施するための形態】
【００１１】
以下に添付図面を参照して、実施形態に係るラベルプリンタについて説明する。以下に説明する実施形態は、食品等の商品に関連する情報を印字したラベル等を発行するラベルプリンタに適用した例を示す。しかしながら、これに限定されることなく、ラベル用紙等の記録媒体に各種情報を印字する装置であればいずれの装置に適用してもよい。
【００１２】
図１は、実施形態に係るラベルプリンタ１を示す外観斜視図である。図２は、ラベルプリンタ１の上部ケース４を開放した状態を示す斜視図である。図３は、ラベルプリンタ１に収容されるプリンタ本体２の概略的な構成、及び、ラベル用紙Ｌの搬送状態を説明するための縦断側面図である。図４は、ラベルプリンタ１のラベル排出口６０付近を拡大して示す正面図である。
【００１３】
ラベルプリンタ１は、内部にプリンタ本体２を備える。そして、プリンタ本体２は、下部ケース３と、上部ケース４と、前部カバー５とに覆われており、外部からの衝撃や埃等から保護される。
【００１４】
また、ラベルプリンタ１は、前述のプリンタ本体２に加えて、ロール状に巻かれたラベル用紙Ｌおよび当該ラベル用紙Ｌを保持する保持部材であるホルダー７を収納する収納部８を内部に備える。
【００１５】
ラベル用紙Ｌは、台紙のない長尺状の台紙なしラベル用紙である。このようなラベル用紙Ｌは、印字面の裏面に粘着層が設けられている。
【００１６】
下部ケース３は、上面と前面が開放されている直方体状のケースであり、上面は上部ケース４に、前面は前部カバー５により閉じられる。また、下部ケース３には、内部のプリンタ本体２と外部機器との接続に使われる接続端子（不図示）や、プリンタ本体２に電源を供給する電源端子（不図示）等が設けられる。
【００１７】
上部ケース４は、下部ケース３の開閉部材としても用いられる。上部ケース４は、タッチパネルディスプレイ４１を備える。タッチパネルディスプレイ４１は、各種操作の入力を受けるとともに、各種情報を表示する。
【００１８】
収納部８は、上述したように、ラベル用紙Ｌおよびホルダー７を収納する。なお、収納部８は、ホルダー７が不要なラベル用紙Ｌを使用する場合には、ラベル用紙Ｌをそのまま収納する。
【００１９】
前部カバー５には、印字切断後のラベルＸ（図４参照）を受ける部材（以下、ステージと称する）５３を備える。前部カバー５は、プリンタ本体２の前面を開閉可能に覆っており、外部に対して開放または閉鎖する。また、前部カバー５の上端部と、上部ケース４の前端下部との間には、ラベルＸを排出するラベル排出口６０が設けられている。したがって、図３および図４に示すように、ラベルプリンタ１は、収納部８からラベル排出口６０に向けてラベル用紙Ｌの搬送経路Ａを形成する。
【００２０】
また、本実施形態においては、図３および図４に示すように、上部ケース４の前端下部（ラベル排出口６０）であってラベル用紙Ｌの搬送経路Ａに干渉する位置に、ラベル押え６１が設けられている。ラベル押え６１は、ステージ５３で受けられている切断後のラベルＸを押さえる用紙押圧部である。ここで、図５はラベル押え６１を示す外観斜視図である。図５に示すように、ラベル押え６１は、その先端部分６１ａが弾性の高い板状の素材をその面方向に巻き込んだ円形形状に形成されている。
【００２１】
ラベル押え６１の素材としては、弾性の高いものであれば良く、合成樹脂（プラスチック）の一種であるポリエチレンテレフタレート（ＰＥＴ）や金属などが挙げられる。また、ラベル押え６１の素材として静電気を除去する除電効果を有する材質を適用することにより、ラベル押え６１に除電効果を持たせることも可能である。
【００２２】
なお、本実施形態においては、ラベル押え６１は一重に円形に巻き込んだ形状を例にして説明するが、これに限るものではない。ここで、図６はラベル押え６１の変形例を示す側面図である。図６に示すように、ラベル押え６１は、渦巻状に巻き込んだゼンマイ状の形状であっても良い。
【００２３】
プリンタ本体２は、印字ヘッド２２と、プラテンローラ２３とを備える。印字ヘッド２２およびプラテンローラ２３により、印字部が構成される。印字ヘッド２２は、発熱体（不図示）を有するサーマルヘッド（不図示）や、コントローラ２４などを有し、ラベル用紙Ｌの印字面に情報を印字する。プラテンローラ２３は、モータ２５と、駆動ギア（不図示）とを用いて、ラベル用紙Ｌを搬送するとともに、ラベル用紙Ｌを印字ヘッド２２に押圧する。
【００２４】
また、図３に示すように、プリンタ本体２は、プラテンローラ２３よりも用紙搬送方向下流側であって前部カバー５の手前側に、ラベル用紙Ｌの搬送経路Ａを挟んで対向する固定刃９１と可動刃９２とを備えた所謂ギロチン式の切断部９を備えている。切断部９の可動刃９２は、一端部（上方側）から他端部（下方側）へと向かって傾斜している。詳細は後述するが、切断部９は、固定刃９１に対して可動刃９２を移動させて、固定刃９１の幅方向に沿って可動刃９２を順に噛み合わせる。これにより、切断部９は、固定刃９１と可動刃９２との間に挟んだラベル用紙Ｌを一端部から他端部へと向かって順に切断する。
【００２５】
コントローラ２４は、タッチパネルディスプレイ４１と、プラテンローラ２３と、印字ヘッド２２と、モータ２５と、ホームポジションセンサ２６とを接続する。これにより、コントローラ２４は、ラベル用紙Ｌの搬送や、印字や、切断などの各処理を制御する。また、コントローラ２４は、タッチパネルディスプレイ４１に表示される各種画面を制御する。
【００２６】
すなわち、プラテンローラ２３は、コントローラ２４の制御に応じて駆動されるモータ２５により回転駆動されて、ロール状に巻回されたラベル用紙Ｌの自由端側を引き出してラベル排出口６０の方向（用紙搬送方向）に搬送する。
【００２７】
印字ヘッド２２は、プラテンローラ２３とラベル用紙Ｌとを挟持して、搬送中のラベル用紙Ｌの印字面にコントローラ２４の制御に応じて情報を印字する。その後、ラベル用紙Ｌは、コントローラ２４の制御に応じたプラテンローラ２３の回転駆動により、切断部９によるラベル用紙Ｌの切断箇所まで搬送される。そして、ラベル用紙Ｌは、コントローラ２４の制御に応じて駆動される切断部９により切断箇所において切断される。なお、切断部９による切断箇所まで搬送されたラベル用紙Ｌは、前部カバー５に設けられたステージ５３に案内された状態となる。そして、ステージ５３は、印字切断後も、引き続き印字切断後のラベルＸ（図４参照）を受けることになる。
【００２８】
図３に示すように、切断部９を駆動する駆動部９０は、前述のモータ２５と、円盤９３と、円盤９３に備えられたピン９３ａとを備える。そして、駆動部９０は、取り付けられたホームポジションセンサ２６から出力された信号によって監視される。
【００２９】
円盤９３は、モータ２５のシャフト２５ａが取り付けられた中心点から離れた位置にピン９３ａを有する偏心機構を構成する。すなわち、円盤９３は、回転運動をピン９３ａの往復運動に変えることができる。そして、ピン９３ａは、可動刃９２に備えられた溝９２ａに挿入されている。
【００３０】
可動刃９２に備えられた溝９２ａの形状は、矩形形状である。可動刃９２が動く上下方向の溝９２ａの大きさは、ピン９３ａの直径と略同じである。一方、上下方向と垂直に交わる左右方向の溝９２ａの大きさは、ピン９３ａの円軌道の直径と略同じである。
【００３１】
よって、モータ２５が回転し、円盤９３に備えられたピン９３ａが円軌道で動いても、可動刃９２は、左右方向には動かず、上下方向に動く。すなわち、可動刃９２は、コントローラ２４の制御に応じて駆動されるモータ２５の回転駆動によってホームポジションから固定刃９１に向かって迫り上げられ、固定刃９１と先に干渉する可動刃９２の刃先の高い側から順に噛み合う。そのため、下部の可動刃９２と上部の固定刃９１との間にあるラベル用紙Ｌは、一端部から他端部へと向かって順に切断される。ホームポジションとは、例えば、可動刃９２が上下方法に動いた際の最下点である。
【００３２】
ホームポジションセンサ２６は、可動刃９２がホームポジションにあるか否かを検知する。ホームポジションセンサ２６は、可動刃９２が最下点であるホームポジションにある場合にＯＮ状態を示す信号を出力し、可動刃９２が最下点であるホームポジションに無い場合にＯＦＦ状態を示す信号を出力する。すなわち、ホームポジションセンサ２６は、可動刃９２がラベル用紙Ｌを切断し、ホームポジションに戻ったことを検知するセンサである。これにより、コントローラ２４は、ホームポジションセンサ２６から信号を受信することで、ラベル用紙Ｌの切断の開始と、完了とを検知することができる。
【００３３】
図１および図２に示すように、ステージ５３は、上面５３ｃに、複数の細長い凸部５３ａをそれぞれ略平行に備えている。すなわち、凸部５３ａは、リブ状に設けられている。このようにステージ５３の上面５３ｃにリブ状の凸部５３ａを備えたのは、印字後に切断されたラベルＸの裏面の粘着層が貼り付かないようにするためである。このような加工を施すことにより、印字後に切断されたラベルＸがステージ５３に貼り付くことによる排紙詰まりの発生を防止することができる。
【００３４】
また、本実施形態のラベルプリンタ１は、上部ケース４の前端下部（ラベル排出口６０）であってラベル用紙Ｌの搬送経路Ａに干渉する位置に、ステージ５３で受けられている切断後のラベルＸを押さえるラベル押え６１を備えている。このようなラベル押え６１は、リブ状に設けられている凸部５３ａの一部に接する位置に設けられている。
【００３５】
図４および図５に示すように、ラベル押え６１は、その先端部分６１ａが弾性の高い板状の素材をその面方向に巻き込んだ円形形状に形成されているため、ステージ５３の凸部５３ａの一部に対して点で接することになる。
【００３６】
ここで、図７はラベル押え６１とラベル用紙Ｌとの関係を示す模式図である。図７（ａ）に示すように、ラベル押え６１は、ステージ５３で受けられている搬送されてきたラベル用紙Ｌと接触した場合、当該接触による力を垂直方向ａで受ける。また、ラベル押え６１は、当該接触による力を吸収するように最適な方向に動く。そして、ラベル押え６１は、ラベル用紙Ｌの搬送が停止すると、元の位置に戻ることになる。ラベル押え６１は、元の位置に戻るとラベル用紙Ｌに対して常に接線垂直方向で押圧することができる。
【００３７】
一方、図７（ｂ）に示すように、ラベル用紙Ｌの設置時などにおけるバックフィード動作により搬送方向とは反対方向へラベル用紙Ｌが搬送される場合、ラベル押え６１は衝撃を吸収するように最適な方向に動く。このため、ラベル押え６１は、ラベル用紙Ｌのバックフィード動作の搬送時の負荷にならない。また、ラベル用紙Ｌが紙詰まりを生じることがないため、良好な印字、良好な搬送を確保できる。
【００３８】
印字後にラベル用紙Ｌの搬送が停止して切断部９により切断箇所において切断されると、切断されたラベルＸは、ステージ５３の凸部５３ａの一部とラベル押え６１とに狭持される。このようにしてステージ５３の凸部５３ａの一部とラベル押え６１とに狭持されたラベルＸは、切断後も保持されているために、ステージ５３から落ちることがない。
【００３９】
また、ステージ５３の凸部５３ａの一部とラベル押え６１とに狭持されたラベルＸは、ラベル押え６１の先端部分６１ａがステージ５３の凸部５３ａの一部に対して点で接しているため、ステージ５３から負荷なく取り去ることができる。
【００４０】
以上により、本実施形態によれば、良好な印字および良好な搬送を確保できるラベルプリンタ１を提供することができる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
１      ラベルプリンタ
８      収納部
９      切断部
２２，２３    印字部
５３    ステージ
５３ａ  凸部
６１    用紙押圧部
Ｌ      ラベル用紙
Ｘ      ラベル
【先行技術文献】
【特許文献】
【００４３】
【特許文献１】特開２００６−３３５０１６号公報
【図１】
2016049641.tif 000003
【図２】
2016049641.tif 000004
【図３】
2016049641.tif 000005
【図４】
2016049641.tif 000006
【図５】
2016049641.tif 000007
【図６】
2016049641.tif 000008
【図７】
2016049641.tif 000009